(57)【要約】【課題】  従来パンタグラフ装置は、木製工作台の高さを設定するのに際して、動力を用いてパンタグラフを作用させて上板を持ち上げ、支柱を組み付けたり取り外したりする作業の補助装置として設計され、取り扱い説明もそれに沿っていた。しかし、忙しい現場では、支柱で上板を固定しないまま作業をしたり、ワークを上板の隅に乗せたまま昇降させて、パンタグラフ装置が損傷してしまうことが度々発生していた。【解決手段】  木製工作台の上枠下面から上枠ローラ転動面までの寸法が、上枠下面から外傾斜リンク上孔芯までの寸法と上ローラの半径との寸法和と等しく、且つ、木製工作台の下枠上面から下枠ローラ転動面までの寸法が、下枠上面から内傾斜リンク下孔芯までの寸法と下ローラ半径との寸法和と等しい構造にすることにより解決する。【選択図】  図１
2011051080.tif 000002
【特許請求の範囲】
【請求項１】
木製工作台の上枠下面から上枠ローラ転動面までの寸法が、上枠下面から外傾斜リンク上孔芯までの寸法と上ローラの半径との寸法和と等しく、且つ、木製工作台の下枠上面から下枠ローラ転動面までの寸法が、下枠上面から内傾斜リンク下孔芯までの寸法と下ローラ半径との寸法和と等しい木製工作台のパンタグラフ装置。
【請求項２】
外傾斜リンク上孔芯、内傾斜リンク下孔芯、リンクセンタ孔芯、上ローラ芯、下ローラ芯には、Ｃ字割りベアリングが圧入されている木製工作台のパンタグラフ装置。
【請求項３】
請求項２において、Ｃ字割りベアリングは、４フッ化エチレン樹脂である木製工作台のパンタグラフ装置。
【請求項４】
外傾斜リンクのリンクセンタ孔芯と内傾斜リンクのリンクセンタ孔芯では、互いの側面に接する大径のスペーサをかませた木製工作台のパンタグラフ装置。
【請求項５】
外傾斜リンクのリンクセンタ孔芯の両脇はボルトによって予圧されている木製工作台のパンタグラフ装置。
【発明の詳細な説明】
【技術分野】
【０００１】
本発明は、家具などのような大きい木工工作物を、立ち姿で作業を行うのに好適な木製工作台に関するもので、不使用時には畳んで収納可能とするとともに、その高さ設定作業を可及的容易にするためのパンタグラフ装置の改良に係るものである。
【背景技術】
【０００２】
従来、木製工作台のパンタグラフ装置は、工作台の高さを設定するのに際して、動力を用いてパンタグラフを作用させて上板を持ち上げ、支柱を組み付けたり取り外したりする作業の補助装置として設計され、取り扱い説明もそれに沿っていた（例えば、特許文献１、２参照）。しかし、忙しい現場では、支柱で上板を固定しないまま作業をしたり、６０Ｋｇものワークを上板の隅に乗せたまま昇降させて、パンタグラフ装置が損傷してしまうことが度々発生していた。
【０００３】
当初は、パンタグラフ装置の設計意図を説明してすませていたが、損傷頻度が多いことから放置する事はできず、過酷な操作環境でもパンタグラフ装置を損傷しない構造が求められている。
【先行技術文献】
【特許文献】
【０００４】
【特許文献１】特開２００９−４５６７３号  公報
【特許文献２】特開２００９−６１１８３号  公報
【発明の概要】
【発明が解決しようとする課題】
【０００５】
第１の課題は、ワークをのせたまま昇降出来る様に上枠を下枠に対して水平を保ったまま、垂直にのみ動く構造を得ることである。
【０００６】
第２の課題は、パンタグラフ装置のリンクの部材が木材であるので、ガタついたりコジレたりすると軸孔及びその周辺を損耗したり、割れを起こす。軸孔周辺が損耗するとガタついたりコジレたりするという悪循環を起こさないよう、リンクの動きを円滑にすることと、割れないように軸孔周辺を補強することである。
【課題を解決するための手段】
【０００７】
上記第１の課題を解決するには、木製工作台の上枠下面から上枠ローラ転動面までの寸法が、上枠下面から外傾斜リンク上孔芯までの寸法と上ローラの半径との寸法和と等しく、且つ、木製工作台の下枠上面から下枠ローラ転動面までの寸法が、下枠上面から内傾斜リンク下孔芯までの寸法と下ローラ半径との寸法和と等しい構造にすることである。
【０００８】
また、第２の課題は、外傾斜リンクと内傾斜リンクの芯孔に、Ｃ字割りベアリングを圧入することにより解決できる。
【０００９】
さらに上記Ｃ字割りベアリングには、４フッ化エチレン樹脂製を用いるとよい。
【００１０】
また第２の課題は、外傾斜リンクと内傾斜リンクのリンクセンタ芯孔では、互いの側面に接する大径のスペーサをかませることにより解決できる。
【００１１】
また第２の課題は、外傾斜リンクのリンクセンタ芯孔の両脇にはボルトによって予圧することにより解決できる。
【発明の効果】
【００１２】
本発明の木製工作台のパンタグラフ装置によれば、工作台のパンタグラフ装置の上枠下面から上枠ローラ転動面までの寸法と、下枠上面から下枠ローラ転動面までの寸法を調整するだけで上枠が下枠に対して水平を保ったまま、垂直にのみ動くようになる。
寸法を修正するときは、薄板の貼り付け等の調整で簡単に修正できる。
【００１３】
外傾斜リンクと内傾斜リンクの芯孔に、Ｃ字割りベアリングをインサート（圧入）して、リンク芯孔にボルトが擦れておこる木材の損耗を緩和する事ができ、Ｃ字割りベアリングに４フッ化エチレン樹脂製を用いることでリンクの動きが円滑になる。
【００１４】
外傾斜リンクと内傾斜リンクのリンクセンタ芯孔に、互いの側面に接する大径のスペーサをかませることで、リンクにスペーサが食い込んで摩擦抵抗を生じることがなくなり、摩擦の低減ができる。
【００１５】
外傾斜リンクのリンクセンタ芯孔の両脇はボルトによって予圧され木目に沿ったひび割れは生じなくなった。
以上のように、構成することで、一般に使われるペルポップ木材リンクで６０Ｋｇ程度のワークを上板の隅に乗せる偏荷重として工作台を昇降させても損傷しないパンタグラフ装置ができた。
【図面の簡単な説明】
【００１６】
【図１】本発明の基本構成を示す断面図
【図２】リンクセンタ孔芯を示す断面図
【図３】（イ）Ｃ字割りベアリングの形状を示す左側面図、（ロ）Ｃ字割りベアリングの形状を示す正面図
【図４】リンクセンタ孔芯の他の実施例を示す断面図
【図５】外傾斜リンクを拡大して示す正面図
【発明を実施するための形態】
【００１７】
以下、本発明の一実施例を図面によって説明する。図１中、木工工作台のパンタグラフ装置１０は、床上に設置される下枠２１と該下枠の上方に支持される上枠１１との間に、外傾斜リンク１４と内傾斜リンク１５で構成されるリンク部材を配し、該リンク部材に上枠の昇降手段としてパワージャッキ１６が設けられている。
【００１８】
外傾斜リンク１４は一端が外傾斜リンク上孔芯ａで上枠１１に回動可能に支持されており、他端には下ローラ芯ｅで下ローラ２８が回動可能に枢着されている。下ローラ２８は下枠ローラ転動面２３上を転動する。
【００１９】
内傾斜リンク１５は一端が内傾斜リンク下孔芯ｂで下枠２１に回動可能に支持されており、他端には上ローラ芯ｄで上ローラ１８が回動可能に枢着されている。上ローラ１８は上枠ローラ転動面１３下を転動する。
【００２０】
外傾斜リンク上孔芯ａと下ローラ芯ｅの中点にリンクセンタ孔芯ｃを設定し、内傾斜リンク下孔芯ｂと上ローラ芯ｄの中点にリンクセンタ孔芯ｃを設定して、ボルトで連結し、パンタグラフの単段リンクを構成している。
【００２１】
パンタグラフを構成する要件として、
１、外傾斜リンク上孔芯ａとリンクセンタ孔芯ｃおよび下ローラ芯ｅは直線上にあること
２、内傾斜リンク下孔芯ｂとリンクセンタ孔芯ｃおよび上ローラ芯ｄは直線上にあること
３、リンク孔芯間隔ａ−ｃ、ｃ−ｅ、ｂ−ｃ、ｃ−ｄは等しいこと
であり、上枠１１が下枠２１にたいして垂直上方にあるためには
４、外傾斜リンク上孔芯ａは、内傾斜リンク下孔芯ｂの垂直上方にあること
の４つがある。
【００２２】
さらに、上枠下面１２から上枠ローラ転動面１３までの距離Ｌ２が、上枠下面１２から外傾斜リンク上孔芯ａまでの距離Ｌ１と上ローラ半径Ｒ１との寸法和と等しく、かつ、下枠上面２２から下枠ローラ転動面２３までの距離Ｌ４が、下枠上面２２から内傾斜リンク下孔芯ｂまでの距離Ｌ３と下ローラ半径Ｒ２との寸法和と等しく設定されている。
つまり、
Ｌ２はＬ１とＲ１の和  かつ  Ｌ４はＬ３とＲ２の和
となるよう設定されている。誤差は１ミリメートル以内であればよい。
【００２３】
上記のように距離Ｌ２、Ｌ４を決めると、上枠１１と下枠２１の平行関係（角度）を維持したまま、上枠１１は下枠２１にたいして垂直方向にのみ昇降可能となる。
【００２４】
下枠ローラ転動面２３は下枠２１に硬質の平板を接着したものである。したがって距離Ｌ４を調整する場合、その板厚を加減するだけでよい。上枠についても同様である。
【００２５】
上枠１１は平面視で略長方形をしており、向かい合う長い辺の枠にそれぞれパンタグラフ装置が取り付けられていて、１台の木工工作台には２つのパンタグラフ装置が取り付けられている。そして、独立して成立しているので、Ｌ２はＬ１とＲ１の和、かつ、Ｌ４はＬ３とＲ２の和をそれぞれが満たせばよい。
【００２６】
パワージャッキ１６は外傾斜リンク１４へジャッキ下孔芯ｆで、内傾斜リンク１５へジャッキ下孔芯ｇで回転自在に結合している。接合位置はストロークと強度さえあれば自由である。
【００２７】
下枠台木２４は、下枠２１が床面からの湿気を吸収しないよう設けられている。
【００２８】
次に、リンクセンタ孔芯の結合構造を図２によって説明する。Ｃ字割りベアリング４１が外傾斜リンク１４のリンクセンタ孔芯ｃに向けて、左側面から面位置まで打ち込まれたものと、内傾斜リンク１５のリンクセンタ孔芯ｃに向けて、右側面から面位置まで打ち込まれたものとの間に、スペーサ３４を噛ませて、リンクセンタ孔芯ｃに黄銅パイプ４２を通し、その黄銅パイプ４２の孔に座金３２を両端に当ててボルト３１を通し、他端を袋ナット３３で締め上げている。
【００２９】
前記構造において、リンク木材が３５ミリメートル×７０ミリメートルの場合、黄銅パイプ４２の外径は１５ミリメートル、厚さは１．５ミリメートル程度がよい。黄銅パイプ４２を締め上げたときの隙間３５は、１ミリメートルから３ミリメートル与えてある。
材質として黄銅を用いるのは４フッ化エチレン樹脂とのなじみがよく耐コジレ性を有するからである。
【００３０】
また、大径のスペーサ３４はリンクに食い込んだり、リンク同士がこすれ合わないように食い込みの面圧を下げるようリンクの側面いっぱいに大きいものが望ましい。リンク木材が３５ミリメートル×７０ミリメートルの場合、規格品の外径５２ミリメートル、厚さ４．５ミリメートルのメッキ大型座金を使用している。
【００３１】
ここではリンクセンタ孔芯ｃの結合構造について述べたが、同様の設計思想で、外傾斜リンク上孔芯ａ、内傾斜リンク下孔芯ｂ、上ローラ芯ｄ、下ローラ芯ｅについて実施できる。
【００３２】
図４は、リンクセンタ孔芯ｃに通しシャフト３８が使える場合の実施例である。工作台の上枠１１と下枠２１とは木箱を形成して、容器としての機能をもっているため、通しシャフト３８を何時でも使えるとはいえないが、構造的にはコジレを生じないので望ましいことである。この場合は黄銅パイプ４２を省略して、シャフト３８は黄銅パイプ４２の直径と同じ１５ミリメートルを用いる。
【００３３】
Ｃ字割りベアリング４１の形状について、図３によって説明する。（イ）は左側面図であり、（ロ）は正面図である。割り口４５によって、擬似弾性体化するので木材の孔に面取り４４を合わせ軽く木材面まで打ち込んで用いる。Ｃ字割りベアリング４１は市販品が多くあり、その中で厚さ１ミリメートルの４フッ化エチレン樹脂製を選択して好結果を得ている。
【００３４】
図５は、外傾斜リンク１４の芯孔ｃの両脇をボルト５１によって予圧し、木目に沿ったひび割れを防ぐ実施例である。リンク木材が３５ミリメートル×７０ミリメートルの場合、７０ミリメートルの幅方向に直径８ミリメートルのボルト５１を通し、大径の平座金５２を両側に噛ませ強く締め上げている。
【００３５】
リンクの木目は長手方向にのびているので、割れる方向は決まっている。ボルト５１はその直角方向のリンクの幅方向から予圧締めするので、外傾斜リンク１４の芯孔ｃにたいして割れの方向性を均等化する働きがある。
【符号の説明】
【００３６】
１０  木製工作台のパンタグラフ装置
１１  上枠
１２  上枠下面
１３  上枠ローラ転動面
１４  外傾斜リンク
１５  内傾斜リンク
１６  パワージャッキ
１８  上ローラ
２１  下枠
２２  下枠上面
２３  下枠ローラ転動面
２４  下枠台木
２８  下ローラ
ａ  外傾斜リンク上孔芯
ｂ  内傾斜リンク下孔芯
ｃ  リンクセンタ孔芯
ｄ  上ローラ芯
ｅ  下ローラ芯
ｆ  ジャッキ下孔芯
ｇ  ジャッキ上孔芯
Ｒ１  上ローラ半径
Ｒ２  下ローラ半径
Ｌ１  上枠下面から外傾斜リンク上孔芯までの距離
Ｌ２  上枠下面から上枠ローラ転動面までの距離
Ｌ３  下枠上面から内傾斜リンク下孔芯までの距離
Ｌ４  下枠上面から下枠ローラ転動面までの距離
３１  ボルト
３２  座金
３３  袋ナット
３４  スペーサ
３５  隙間
３８  通しシャフト
４１  Ｃ字割りベアリング
４２  黄銅パイプ
４４  面取り
４５  割り口
５１  ボルト
５２  座金
５３  ナット
【図１】
2011051080.tif 000003
【図２】
2011051080.tif 000004
【図３】
2011051080.tif 000005
【図４】
2011051080.tif 000006
【図５】
2011051080.tif 000007